(57)【要約】【課題】被写体の動感を表現した画像を撮影することができる撮影用照明装置等を提供する。【解決手段】撮影用照明装置（１００）を、撮影用の照明光を略一定の発光量で継続して発光する発光部（３１）と、撮影装置に設けられた撮像部（６）に対して被写体光を露光してひとつの静止画像を取得している間、前記発光部を制御して前記照明光の発光輝度を変化させる発光制御部（２０）とを備え、前記発光制御部は、前記ひとつの静止画像の前記取得中における第１の時間帯（Ｔ０〜Ｔ１）では第１の発光輝度（Ｌ２）で継続して照明光を発光させ、前記第１の時間帯の経過後の第２の時間帯（Ｔ１〜Ｔ２）では前記第１の発光輝度よりも低い輝度の第２の発光輝度（Ｌ１）で継続して照明光を発光させる構成とした。【選択図】図２
2009265269.tif 000002
【特許請求の範囲】
【請求項１】
撮影用の照明光を略一定の発光量で継続して発光する発光部と、
撮影装置に設けられた撮像部に対して被写体光を露光してひとつの静止画像を取得している間、前記発光部を制御して前記照明光の発光輝度を変化させる発光制御部と
を備え、
前記発光制御部は、前記ひとつの静止画像の前記取得中における第１の時間帯では第１の発光輝度で継続して照明光を発光させ、前記第１の時間帯の経過後の第２の時間帯では前記第１の発光輝度よりも低い輝度の第２の発光輝度で継続して照明光を発光させること
を特徴とする撮影用照明装置。
【請求項２】
請求項１に記載の撮影用照明装置において、
前記発光部は、前記第１の発光輝度で前記照明光を発光可能な第１の発光部と、前記第２の発光輝度で前記照明光を発光可能な第２の発光部とを含み、
前記発光制御部は、前記第１の発光部と前記第２の発光部のいずれかを発光させること
を特徴とする撮影用照明装置。
【請求項３】
請求項１又は請求項２に記載の撮影用照明装置において、
前記発光制御部は、前記ひとつの静止画像の前記取得中における前記第２の時間帯の経過後の第３の時間帯では、前記第２の発光輝度とは異なる発光輝度で継続して照明光を発光させること
を特徴とする撮影用照明装置。
【請求項４】
請求項１から請求項３までのいずれか１項に記載の撮影用照明装置において、
前記発光部は、発光する照明光の色として複数の異なる色が選択可能に設けられ、
前記発光制御部は、前記照明光の発光輝度を変化させる場合に当該照明光の色も変化させること
を特徴とする撮影用照明装置。
【請求項５】
請求項１から請求項４までのいずれか１項に記載の撮影用照明装置において、
前記発光部は、発光素子として発光ダイオードを備えること
を特徴とする撮影用照明装置。
【請求項６】
請求項１から請求項５までのいずれか１項に記載の撮影用照明装置を備えること
を特徴とする撮影装置。
【請求項７】
撮影用の照明光を略一定の発光量で発光する撮影用照明装置を接続可能な撮影装置であって、
前記接続された前記撮影用照明装置と通信を行う通信部と、
前記通信部を介して前記撮影用照明装置を制御し、撮像部に対して被写体光を露光してひとつの静止画像を取得している間、前記照明光の発光輝度を変化させる発光制御部と
を備え、
前記発光制御部は、前記ひとつの静止画像の前記取得中における第１の時間帯では第１の発光輝度で継続して照明光を発光させ、前記第１の時間帯の経過後の第２の時間帯では前記第１の発光輝度よりも低い輝度の第２の発光輝度で継続して照明光を発光させること
を特徴とする撮影装置。
【請求項８】
撮影用の照明光を発光する撮影用照明装置を接続可能な撮影装置であって、
前記接続された前記撮影用照明装置と通信を行う通信部と、
前記接続された撮影用照明装置とは異なる発光輝度で撮影用の照明光を発光可能な内蔵型の撮影用照明装置と、
前記接続された撮影用照明装置及び前記内蔵型の撮影用照明装置を制御可能に設けられ、前記接続された撮影用照明装置及び前記内蔵型の撮影用照明装置の何れかを発光させることによって、撮像部に対して被写体光を露光してひとつの静止画像を取得している間、前記照明光の発光輝度を変化させる発光制御部と
を備え、
前記接続された撮影用照明装置及び前記内蔵型の撮影用照明装置は、それぞれ前記照明光を略一定の発光量で継続して発光可能であり、
前記発光制御部は、前記ひとつの静止画像の前記取得中における第１の時間帯では前記接続された撮影用照明装置及び前記内蔵型の撮影用照明装置の一方に第１の発光輝度で継続して照明光を発光させ、前記第１の時間帯の経過後の第２の時間帯では前記接続された撮影用照明装置及び前記内蔵型の撮影用照明装置の他方に前記第１の発光輝度よりも低い輝度の第２の発光輝度で継続して照明光を発光させること
を特徴とする撮影装置。
【発明の詳細な説明】
【技術分野】
【０００１】
本発明は、撮影用照明装置及び撮影装置に関するものである。
【背景技術】
【０００２】
従来、カメラ等の撮影装置としては、露光終了の直前に照明光を発光する後シンクロモードと称される撮影が可能なものが知られている（例えば、特許文献１参照）。
【特許文献１】特開２０００−３３８５７２号公報
【発明の開示】
【発明が解決しようとする課題】
【０００３】
上記特許文献１に記載のカメラを用いて後シンクロモードで自動車を撮影する場合、テールランプの軌跡によって自動車の進行方向を表現できるが、自動車自体は静止状態で撮影されるため、自動車自体の動感を表現することが困難であった。
本発明の課題は、被写体の動感を表現した画像を撮影することができる撮影用照明装置及び撮影装置を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、撮影用の照明光を略一定の発光量で継続して発光する発光部（３１）と、撮影装置に設けられた撮像部（６）に対して被写体光を露光してひとつの静止画像を取得している間、前記発光部を制御して前記照明光の発光輝度を変化させる発光制御部（２０）とを備え、前記発光制御部は、前記ひとつの静止画像の前記取得中における第１の時間帯（Ｔ０〜Ｔ１）では第１の発光輝度（Ｌ２）で継続して照明光を発光させ、前記第１の時間帯の経過後の第２の時間帯（Ｔ１〜Ｔ２）では前記第１の発光輝度よりも低い輝度の第２の発光輝度（Ｌ１）で継続して照明光を発光させることを特徴とする撮影用照明装置（１００）である。
【０００５】
請求項２の発明は、請求項１に記載の撮影用照明装置において、前記発光部（３１）は、前記第１の発光輝度（Ｌ２）で前記照明光を発光可能な第１の発光部（３２）と、前記第２の発光輝度（Ｌ１）で前記照明光を発光可能な第２の発光部（３３）とを含み、前記発光制御部（２０）は、前記第１の発光部と前記第２の発光部のいずれかを発光させることを特徴とする撮影用照明装置（３００）である。
請求項３の発明は、請求項１又は請求項２に記載の撮影用照明装置において、前記発光制御部（２０）は、前記ひとつの静止画像の前記取得中における前記第２の時間帯（Ｔ１〜Ｔ２）の経過後の第３の時間帯（Ｔ２〜Ｔ３）では、前記第２の発光輝度（Ｌ１）とは異なる発光輝度（Ｌ１）で継続して照明光を発光させることを特徴とする撮影用照明装置（１００）である。
請求項１から請求項３までのいずれか１項に記載の撮影用照明装置において、
請求項１から請求項３までのいずれか１項に記載の撮影用照明装置において、前記発光部（３１）は、発光する照明光の色として複数の異なる色が選択可能に設けられ、前記発光制御部（２０）は、前記照明光の発光輝度を変化させる場合に当該照明光の色も変化させることを特徴とする撮影用照明装置（１００）である。
請求項５の発明は、請求項１から請求項４までのいずれか１項に記載の撮影用照明装置において、前記発光部（３１）は、発光素子として発光ダイオードを備えることを特徴とする撮影用照明装置（１００）である。
請求項６の発明は、請求項１から請求項５までのいずれか１項に記載の撮影用照明装置を備えることを特徴とする撮影装置（１００）である。
請求項７の発明は、撮影用の照明光を略一定の発光量で発光する撮影用照明装置（５０）を接続可能な撮影装置であって、前記接続された前記撮影用照明装置と通信を行う通信部（５３）と、前記通信部を介して前記撮影用照明装置を制御し、撮像部（６）に対して被写体光を露光してひとつの静止画像を取得している間、前記照明光の発光輝度を変化させる発光制御部（２０）とを備え、前記発光制御部は、前記ひとつの静止画像の前記取得中における第１の時間帯（Ｔ０〜Ｔ１）では第１の発光輝度（Ｌ２）で継続して照明光を発光させ、前記第１の時間帯の経過後の第２の時間帯（Ｔ１〜Ｔ２）では前記第１の発光輝度よりも低い輝度の第２の発光輝度（Ｌ１）で継続して照明光を発光させることを特徴とする撮影装置（２００）である。
請求項８の発明は、撮影用の照明光を発光する撮影用照明装置（５０）を接続可能な撮影装置であって、前記接続された前記撮影用照明装置と通信を行う（５３）通信部と、前記接続された撮影用照明装置とは異なる発光輝度で撮影用の照明光を発光可能な内蔵型の撮影用照明装置（３０、３１）と、前記接続された撮影用照明装置及び前記内蔵型の撮影用照明装置を制御可能に設けられ、前記接続された撮影用照明装置及び前記内蔵型の撮影用照明装置の何れかを発光させることによって、撮像部（６）に対して被写体光を露光してひとつの静止画像を取得している間、前記照明光の発光輝度を変化させる発光制御部（２０）とを備え、前記接続された撮影用照明装置及び前記内蔵型の撮影用照明装置は、それぞれ前記照明光を略一定の発光量で継続して発光可能であり、前記発光制御部は、前記ひとつの静止画像の前記取得中における第１の時間帯（Ｌ０〜Ｌ１）では前記接続された撮影用照明装置及び前記内蔵型の撮影用照明装置の一方に第１の発光輝度（Ｌ２）で継続して照明光を発光させ、前記第１の時間帯の経過後の第２の時間帯（Ｌ１〜Ｌ２）では前記接続された撮影用照明装置及び前記内蔵型の撮影用照明装置の他方に前記第１の発光輝度よりも低い輝度の第２の発光輝度（Ｌ１）で継続して照明光を発光させることを特徴とする撮影装置（４００）である。
なお、符号を付して説明した構成は、適宜改良してもよく、また、少なくとも一部を他の構成物に代替してもよい。
【発明の効果】
【０００６】
本発明によれば、被写体の動感を表現した画像を撮影することができ、特にいわゆる先幕シンクロのような効果を得ることができる撮影用照明装置及び撮影装置を提供できる。
【発明を実施するための最良の形態】
【０００７】
［第１実施形態］
以下、図面等を参照して、本発明を適用した撮影用照明装置の第１実施形態を備えたカメラについて説明する。
図１は、実施形態のカメラの構成を示すブロック図である。
【０００８】
カメラ１００は、撮影レンズ１を介して被写体像をＣＣＤやＣＭＯＳ等の撮像素子６に結像させる。
撮影レンズ１は、撮影画角を変更するズームレンズ１ａ、焦点を合わせるフォーカシングレンズ１ｂ、絞り１ｃ、シャッタ１ｄを含んでいる。
ズームレンズ１ａには、ズーム制御回路５が接続されており、ズーム制御回路５はズームレンズ１ａを駆動して撮影画角を変更する。
フォーカスレンズ１ｂには、フォーカス制御回路２が接続されており、フォーカス制御回路２はフォーカスレンズ１ｂを駆動して焦点を合わせる。
【０００９】
絞り１ｃには、絞り制御回路４が接続されており、絞り制御回路４は絞りを駆動して撮影レンズ１を通過する光量を調整する。
シャッタ１ｄには、シャッタ制御回路３が接続されており、シャッタ制御回路３はシャッタｌｄを駆動して露光時間を制御する。
【００１０】
撮像素子６は、撮影レンズ１によって結像された像を電気信号に変換する。
撮像素子６には、撮像制御回路７と映像回路８が接続されている。
撮像制御回路７は、撮像素子６を駆動して、露光時間制御、結像された像の電気信号への変換、変換した電気信号の出力等を制御する。
映像回路８は、撮像素子６の出力する電気信号を増幅し、デジタル信号に変換して制御部２０に出力する。
【００１１】
不揮発性メモリ９は、制御部２０に接続されており、制御部２０が動作するプログラム、撮影データが格納されている。
バッファーメモリ１０は、撮影データを一時的に格納し、画像処理過程のデータ、画像処理後のデータ、画像圧縮後のデータ、さらに、制御部２０のその他処理過程の一次記録に使用される。
【００１２】
メモリ制御回路１１は、メモリ１２が抜き差し可能な構造となっており、撮影画像ファイルをメモリ１２に転送、記録する。また、メモリ制御回路１１は、メモリ１２に記録されている画像ファイル等の情報を読み取り、制御部２０に出力する。
操作検出回路１３には、電源スイッチ、レリーズスイッチ、ＬＥＤ照明光量調整スイッチ等の操作スイッチ（１３ａ、１３ｂ、１３ｃ・・・）が接続されており、ユーザがカメラ１００を操作すると操作スイッチが作動し、操作検出回路１３から制御部２０に操作情報が伝達される。
【００１３】
モニタ制御回路１４は、ＬＣＤ等のモニタ１５が接続されており、制御部２０より出力された表示データをモニタ１５に出力すると共に、モニタ１５の点灯、消灯、表示制御を行い、モニタ１５上に画像等を表示させる。
【００１４】
制御部２０は、不揮発性メモリ９に格納されたプログラムに従ってカメラ１００の動作を制御すると共に、撮影された画像の処理、再生を行う。
制御部２０は操作スイッチの操作に応答し、電源の投入、消灯やズーム制御回路５を作動させてのズーミング、フォーカス制御回路２を作動させてのフォーカシング、絞り制御回路４やシャッタ制御回路３を作動させての露出制御、撮像制御回路７を作動させて撮像素子６の駆動を行い、映像回路８からデジタル化した撮像素子出力を入力し、バッファーメモリ１０を使用して画像処理、圧縮してメモリ１２に記録する。また、メモリ１２に記録された画像ファイルを呼び出した画像ファイル、撮影した画像ファイル、撮影準備段階の撮像素子出力（スルー画）を、バッファーメモリを使用してモニタ１５に表示する。
【００１５】
撮影準備段階に於いてはシャッタｌｄを開放にし、撮影レンズ１を透過した光を撮像素子６に結像させる。
撮像素子６に結像した被写体像は制御部２０によって周期的に画像処理され、被写体を動画的にモニタ１５に映し出す。
同時に、制御部２０によって、画像のコントラストを検出し、フォーカスレンズ１ｂを移動させ、最もコントラストの高いフォーカスレンズ位置を検索し、その位置にフォーカスレンズを移動させる事でオートフォーカスを行う。また、画像の輝度レベルを検出し、検出した輝度レベルから絞り１ｃとシャッタ速度（露光時間）を制御して自動露出制御を行う。
【００１６】
ＬＥＤ駆動回路３０は、制御部２０からの指示信号に応じて照明用白色ＬＥＤ３１（以下、ＬＥＤ３１と称する）を点灯、消灯させ、撮影時に点灯して被写体を照明する。このときに、ＬＥＤ駆動回路３０がＬＥＤ３１に流す電流値を制御することにより、ＬＥＤ３１の発光輝度は制御され、また、その電流を流す期間（時間）を制御することにより、ＬＥＤ３１の発光期間（時間）は制御される。ＬＥＤ３１の点灯は、その他に、セルフタイマ使用時、赤目防止用照明、撮影前の測光時にも行われる。
【００１７】
次に、ＬＥＤ駆動回路３０が行うスローシンクロ撮影モードでの発光制御について説明する。スローシンクロ撮影モードとは、撮像素子６に被写体光を露光させてひとつの静止画像を撮影する際、当該露光中に強い照明光と弱い照明光を各々の時間発光する撮影モードである。
スローシンクロ撮影モードでは、強い光と弱い光との発光順序が異なる複数の発光パターンが用意されている。以下、予め用意された発光パターンのうちのいくつかを具体的に例示して説明する。
【００１８】
（発光パターンＡ）
図２（ａ）は、図１に示す制御部が行う発光パターンＡの制御を示すタイミングチャートである。
〈Ｔ０：露光開始〉
発光パターンＡにおいて、制御部２０は、露光開始と略同時にＬＥＤ３１の発光を開始させる。このときの発光輝度Ｌ２は、特に限定されないが、例えば、ＬＥＤ３１が発光可能な最大発光輝度と同程度の高輝度発光を行う。また、ＬＥＤ３１は、略一定の発光輝度Ｌ２を維持した発光（連続発光）を行う。
【００１９】
〈Ｔ１：発光輝度切り替え〉
設定された露光時間の、例えば、１／３程度が経過すると、制御部２０は、ＬＥＤ３１を発光輝度Ｌ２の、例えば、１／５程度の発光輝度Ｌ１で発光させる。ＬＥＤ３１は、このときも略一定の発光輝度Ｌ１を維持した発光（連続発光）を行う。
【００２０】
〈Ｔ２：露光終了〉
予め設定された露光時間が経過すると、制御部２０は、ＬＥＤ３１による照明光の発光を停止させる。
このように、発光パターンＡでは、露光開始の直後は比較的強い発光輝度Ｌ２で発光（以下、強発光と称する）を行い、所定の時間の経過後に比較的弱い発光輝度Ｌ１で発光（以下、弱発光と称する）を行うように、発光輝度を時間の経過に応じて切り替える制御を行う。
【００２１】
図２（ｂ）は、発光パターンＡによって撮影したひとつの静止画像の一例である。
図２（ｂ）に示す静止画像の被写体は、例えば、夜の屋外等の暗所をテールランプＴを点灯させた状態で直進走行する自動車Ｃである。図２（ｂ）の中の符号ＴＡは、テールランプＴの光芒である。
図２（ｂ）に示すように、パターンＡのスローシンクロ撮影モードで撮影を行う場合、強発光時に記録した部分Ｃと、弱発光時に記録した部分ＣＡとが同時にひとつの静止画像に記録される。
ＬＥＤ３１は、露光開始後の時間Ｔ０〜Ｔ１の間では、強発光を行うので、自動車Ｃは、その詳細が撮影される。この強発光を行う時間Ｔ０〜Ｔ１は、全露光時間の内の１／３程度という短い時間であり、自動車Ｃは、静止した状態で撮影される。
【００２２】
これに対し、時間Ｔ１〜Ｔ２の間では、ＬＥＤ３１が弱発光を行うので、被写体である自動車Ｃは、輪郭程度は視認できるものの、光量不足のため、その詳細までは記録されていない。また、被写体である自動車Ｃは、弱発光時にも走行しているため、像が流れて（図中のＣＡ）記録される。このような不鮮明かつ流れた画像は、例えるならば、応答速度の遅い表示装置に動きの速い動画像を表示したときに形成される残像と類似している。
【００２３】
このように、パターンＡのスローシンクロ撮影モードで撮影を行った静止画像は、一般に先幕シンクロモードと称される公知の撮影方法で撮影した場合と同様に、静止画像であるにも関わらず進行方向の前方に動感のある画像となる。
なお、公知の先幕シンクロモードは、露光開始の直後に照明光（閃光）の発光を行うが、当該発光後は露光を継続していても照明光の発光を行わないため、自動車Ｃの動感をテールランプＴの光芒（ＴＡ）として表現するにとどまる。
これに対し、本実施形態のカメラ１００は、テールランプＴの光芒ＴＡだけではなく、主要被写体である自動車Ｃ自体の不鮮明かつ流れた画像を鮮明な画像と併せてひとつの静止画像に記録でき、自動車Ｃ自体の動感をよりダイナミックに表現できる。
【００２４】
（発光パターンＢ）
次に、ＬＥＤ駆動回路が行う発光パターンＢについて説明する。
図３（ａ）は、図１に示すカメラに備えられた制御部が行う発光パターンＢの制御を示すタイミングチャートである。
〈Ｔ０：露光開始〉
発光パターンＢにおいて、制御部２０は、露光開始と略同時にＬＥＤ３１に弱発光（Ｌ１）で連続発光させる。
【００２５】
〈Ｔ１：発光輝度切り替え〉
設定された露光時間の、例えば、２／３程度が経過すると、制御部２０は、ＬＥＤ３１を強発光（Ｌ２）で発光させる。この強発光は、全露光時間の、例えば、１／３程度の時間行われる。
【００２６】
〈Ｔ２：露光終了〉
予め設定された露光時間が経過すると、制御部２０は、ＬＥＤ３１による照明光の発光を停止させる。
このように発光パターンＢでは、露光開始と略同時に弱発光で発光を行い、所定の時間の経過後に強発光を行う。
【００２７】
図３（ｂ）は、発光パターンＢによって撮影したひとつの静止画像の一例である。
なお、図３（ｂ）の中の各符号の意味は、図２（ｂ）の中における符号と同一である。また、特にことわりがない限り、以降の図中の各符号の意味は、図２（ｂ）におけるものと同一とする。
発光パターンＢでは、露光開始後の時間Ｔ０〜Ｔ１の間に弱発光が行われる。弱発光時に記録された部分ＣＡは、図３（ｂ）に示すように、自動車Ｃが不鮮明かつ流れた状態で記録される。これに対し、強発光時に記録された部分Ｃは、自動車Ｃが鮮明に記録されている。
発光パターンＡでは、自動車Ｃの進行方向前方に不鮮明な流れた画像が形成されたのに対し、発光パターンＢでは、自動車Ｃの進行方向後方に不鮮明な流れた画像ＣＡが形成される。このように発光パターンＢでは、進行方向の後方に動感のある画像をテールランプＴの光芒ＴＡとともに撮影できる。
【００２８】
カメラ１００には、スローシンクロ撮影モードとして、上述した発光パターンＡ、Ｂ以外にも、複数の発光パターンが用意されている。
表１は、図１に示すカメラを用いてスローシンクロ撮影モードで撮影を行う場合のＬＥＤの発光パターンを示す表である。
【００２９】
【表１】
2009265269.tif 000003
【００３０】
発光パターンＡ、Ｂについては、既に説明したので、その説明を省略する。
（発光パターンＣ）
図４（ａ）に示す発光パターンＣは、露光開始から時間の経過に応じて、強発光、弱発光、強発光の順番で発光を行う発光パターンである。それぞれの発光時間は、２回の弱発光がそれぞれ全露光時間の、例えば、１／３程度、強発光が全露光時間の、例えば、１／３程度に設定されている。
図４（ｂ）に示すように、発光パターンＣで撮影した画像は、露光時間中の開始時点及び終了時点で自動車Ｃが鮮明に撮影され、これらの鮮明な画像に挟まれた領域に不鮮明かつ流れた画像ＣＡが形成される。
なお、図４（ａ）に示す発光パターンＣでは、Ｔ０〜Ｔ１の時間帯とＴ２〜Ｔ３の時間帯とで発光輝度をＬ２にしている（等しくしている）が、これに限られるものではない。例えば、Ｔ２〜Ｔ３の時間帯の発光輝度は、Ｔ１〜Ｔ２の時間帯の発光輝度Ｌ１と異なっていればよい。
【００３１】
（発光パターンＤ）
図５（ａ）に示す発光パターンＤは、露光開始から時間の経過に応じて、弱発光、強発光、弱発光の順番で発光を行う発光パターンである。
図５（ｂ）に示すように、発光パターンＤで撮影した画像は、中央に自動車Ｃの鮮明な画像ＣＡが記録され、この自動車Ｃの進行方向後方、及び、前方の両方に不鮮明かつ流れた画像が形成される。
【００３２】
（発光パターンＥ）
図６（ａ）に示す発光パターンＥは、露光開始の直後は発光を行わず、次いで、時間の経過に応じて、弱発光、強発光の順番で発光を行う発光パターンである。無発光時間と弱発光時間は、それぞれ全露光時間の、それぞれ、例えば、１／３程度、強発光時間は、全露光時間の、例えば、１／３程度に設定されている。
図６（ｂ）に示すように、発光パターンＥで撮影を行った画像は、ＬＥＤ３１による照明光の発光を行わない時間帯（Ｔ０〜Ｔ１）にはテールランプＴが光芒ＴＡとして記録される。
また、時間Ｔ１〜Ｔ２で弱発光、時間Ｔ２〜Ｔ３及び強発光を行うので、発光パターンＢと同様な画像を記録することができる。
【００３３】
（発光パターンＦ）
発光パターンＦは、露光直後の時間Ｔ０〜Ｔ１で第１の弱発光を行い、時間Ｔ１〜Ｔ２で第２の弱発光を行う。また、時間Ｔ２〜Ｔ３では、強発光を行う。第１の弱発光の発光輝度は、強発光の、例えば、１／５程度であり、第２の弱発光の発光輝度は、強発光の、例えば、１／２程度に設定される。強発光を行う時間は、全露光時間の、例えば、１／３程度であり、第１の弱発光、第２の弱発光を行う時間は、それぞれ全露光時間の、例えば、１／３程度である。
図７（ｂ）に示すように、発光パターンＦで撮影を行った画像は、自動車Ｃの進行方向後方に２段階の不鮮明かつ流れた画像ＣＡ１、ＣＡ２が形成される。この発光パターンＦで撮影した画像では、自動車Ｃの進行方向に沿って、画像が順に鮮明になるので、自動車の動感をさらに詳細に表現できる。
【００３４】
（発光パターンＧ）
発光パターンＧ（発光パターンＧのタイミングチャート及び撮影画像は、図示を省略する）は、全露光時間を例えば、略５等分し、強発光と弱発光とを繰り返す。このパターンＧでは、強発光を３回行うので、撮影した画像には、鮮明な自動車が３箇所に記録され、この鮮明な画像の間に不鮮明かつ流れた画像が形成される。
【００３５】
（発光パターンＨ）
発光パターンＨ（発光パターンＨのタイミングチャート及び撮影画像は、図示を省略する）は、発光パターンＡと同様に、露光中に強発光から弱発光に切り替える制御を行うものであるが、弱発光時と強発光時とで、照明光の色を変化させる点が発光パターンＡと異なる。
ＬＥＤ３１は、Ｒ(赤色）、Ｇ（青色）、Ｂ（青色）の３色のＬＥＤを組み合わせて形成されており、発光パターンＨでは、これらの３色のＬＥＤを適宜組み合わせて発光を行う。この発光パターンＨでは、例えば、弱発光時には、赤い照明光を照射し、強発光時には、白い照明光を照射する。
このような発光輝度の変化に応じて照明光の色（色温度）を切り替える制御は、発光パターンＢ〜Ｇに適用してもよい。
【００３６】
本実施形態のカメラ１００は、以上説明した発光パターンＡ〜Ｈの他にも、無発光、弱発光、強発光、発光の色温度を適宜組み合わせることによって、無数の発光パターンで撮影することができる。
また、無発光、弱発光、強発光を行う時間を任意に変更することもできる。さらに、弱発光を複数回行う場合には、それぞれで発光輝度を変化させてもよい。
【００３７】
次に、スローシンクロ撮影モードで撮影を行う際に制御部２０が行う発光制御について説明する。ここでは、一例として発光パターンＡで発光を行うときの制御について説明する。
図８は、制御部が行う発光制御を示すフローチャートである。
撮影者は、予め用意された発光パターンを選択して入力操作を行い、制御部２０は、これを検出する（ステップＳ０１）。制御部２０は、撮影者によって、レリーズスイッチがオン操作されたことを検出すると（ステップＳ０２）、これに応じて撮影動作を開始する（ステップＳ０３）。
【００３８】
制御部２０は、シャッタ１ｄを開位置に駆動し（ステップＳ０４）、被写体光を撮像素子６の結像面を露光させる。撮像素子６は、被写体光を電気信号に変換し、この電気信号は、映像回路８で画像データに変換され、バッファ１０に保存される。
【００３９】
制御部２０は、ＬＥＤ駆動回路３０を制御して露光開始と同時にＬＥＤ３１の発光を開始させる（ステップＳ０５）。
ＬＥＤ３１は、露光開始（Ｔ０）から一定の時間（Ｔ１）が経過するまでの間は、発光輝度Ｌ１（弱発光）で連続発光を行う（ステップＳ０６）。当該一定の時間の経過した後、ＬＥＤ３１は、発光輝度Ｌ２（強発光）で連続発光を行う（ステップＳ０７）。ＬＥＤ３１は、強発光を一定の時間（Ｔ２）が経過するまで行う（ステップＳ０８）
予め設定された露光時間が終了すると、ＬＥＤ３１は、発光を停止し（ステップＳ０９）、制御部２０は、これと略同時にシャッタ１ｄを閉位置に駆動して撮影を終了する（ステップＳ１０）。
【００４０】
以上説明した第１実施形態のカメラ１００によれば、以下の効果を得ることができる。
（１）弱発光と強発光とを時間の経過に応じて切り替えることによって、動きのある被写体を撮影するので、動感のある画像を撮影することができる。
（２）強発光と弱発光の順番を入れ替えることにより、進行方向の前方に動感のある画像や、後方に動感のある静止画像を任意に撮影できる。
（３）鮮明に記録された画像をひとつの静止画像内に複数記録することができるので、被写体の動きの始点、終点、及び、その経過の任意の位置を詳細に表現することができる。この撮影パターンは、野球の投球フォームやゴルフのスイング等を撮影するのに適している。
（４）露光中にＬＥＤ３１が発光する照明光の色を変えるので、画像を一層印象的になものにすることができる。
【００４１】
［第２実施形態］
次に、本発明を適用した撮影装置の第２実施形態について説明する。この第２実施形態及び以下に説明するその他の実施形態において、上述した第１実施形態と同様な機能を果たす部分には、同一の符号又は末尾に統一した符号を付して、重複する説明や図面を適宜省略する。
図９は、第２実施形態のカメラの構造を示すブロック図である。
【００４２】
第２実施形態のカメラ２００は、アダプタ５３を介して着脱可能なクリップオン（外付け）型の撮影用照明装置５０が装着される。
カメラ２００の制御部２０は、アダプタ５３を介して撮影用照明装置５０と通信を行うことによってＬＥＤ駆動回路５１を制御し、第１実施形態と同様にＬＥＤ５２を発光させる。ＬＥＤ５２は、シャッタ１ｄの駆動タイミングと同期して、照明光の発光を行う。第２実施形態のカメラ２００の制御部２０が行う制御は、第１実施形態のカメラ１００の制御部２０と実質的に同じなので、その説明は省略するものとする。第２実施形態のカメラ２００を用いて撮影を行う場合であっても、第１実施形態と同様な動感のある画像を撮影することができる。
【００４３】
［第３実施形態］
図１０は、第３実施形態のカメラの構造を示すブロック図である。
第３実施形態のカメラ３００は、２つのＬＥＤ３２、３３を備えている。第１のＬＥＤ３２は、第２のＬＥＤ３３よりも定格が大きく、専ら強発光を行う際に使用される。一方、第２のＬＥＤ３３は専ら弱発光を行う際に使用される。撮影時に制御部２０が行う制御は、第１実施形態と実質的に同じなので説明を省略する。
第３実施形態のカメラ３００は、第１実施形態の効果に加え、強発光、弱発光を行う専用ＬＥＤを設けたので、発光輝度を切り替える際の応答が速く、発光輝度を頻繁に切り替えるような場合に適している。
【００４４】
［第４実施形態］
図１１は、第４施形態のカメラの構造を示すブロック図である。
第４実施形態のカメラ４００は、第１実施形態と同様な内蔵型のＬＥＤ３１を備え、さらに、第２実施形態と同様なクリップオン式の撮影用照明装置５０を装着可能になっている。
第４実施形態のカメラ４００に装着されるクリップオン型の撮影用照明装置５０は、内蔵型のＬＥＤ３１よりも定格が大きく、専ら強発光を行う際に使用される。一方、内蔵型のＬＥＤ３１は専ら弱発光を行う際に使用される。撮影時に制御部２０が行う制御は、第１実施形態と第２実施形態を組み合わせたものなので、説明を省略する。第４実施形態のカメラ４００も、第３実施形態のカメラ４００と同様の効果を得ることができる。
【００４５】
［変形形態］
本発明は、以上説明した実施形態に限定されることなく、以下に示すような種々の変形や変更が可能であって、これらも本発明の技術的範囲内に含まれる。
（１）実施形態のカメラは、発光素子としてＬＥＤを備えていたが、これに限らず、キセノンランプ等を備えていてもよい。
（２）実施形態のカメラは、弱発光、強発光の両方で発光量が略一定な連続発光を行ったが、これに限らず、例えば、時間の経過に応じてリニアに発光量が変化するような制御を行ってもよい。
（３）実施形態のカメラは、デジタルカメラであったが、これに限らず銀塩フィルムを撮像部として使用するフィルムカメラであってもよい。
（４）本発明の撮影用照明装置は、実施形態において撮像部等を備えるカメラであったが、これに限らず、撮像部を備えない照明専用の撮影用照明装置であってもよい。
【図面の簡単な説明】
【００４６】
【図１】第１実施形態のカメラの構造を示すブロック図である。
【図２】発光パターンＡにおける光量の変化と撮影した静止画像とを示す図である。
【図３】発光パターンＢにおける光量の変化と撮影した静止画像とを示す図である。
【図４】発光パターンＣにおける光量の変化と撮影した静止画像とを示す図である。
【図５】発光パターンＤにおける光量の変化と撮影した静止画像とを示す図である。
【図６】発光パターンＥにおける光量の変化と撮影した静止画像とを示す図である。
【図７】発光パターンＦにおける光量の変化と撮影した静止画像とを示す図である。
【図８】図１に示すカメラに備えられた制御部が行う発光制御を示すフローチャートである。
【図９】第２実施形態のカメラの構造を示すブロック図である。
【図１０】第３実施形態のカメラの構造を示すブロック図である
【図１１】第４実施形態のカメラの構造を示すブロック図である
【符号の説明】
【００４７】
６  撮像部  ：  ２０  制御部  ：  ３１  発光部  ：  １００  カメラ
【図１】
2009265269.tif 000004
【図２】
2009265269.tif 000005
【図３】
2009265269.tif 000006
【図４】
2009265269.tif 000007
【図５】
2009265269.tif 000008
【図６】
2009265269.tif 000009
【図７】
2009265269.tif 000010
【図８】
2009265269.tif 000011
【図９】
2009265269.tif 000012
【図１０】
2009265269.tif 000013
【図１１】
2009265269.tif 000014